(57)【要約】【課題】簡単な構成で原稿の主・副走査方向長を自動演算し転写紙に高品質の画像形成が可能な画像形成装置の提供。【解決手段】読取不定形サイズ原稿の非遮光状態を確認して、画像読取部６の非遮光状態の読取最大サイズ領域の読取画像データが画像記憶部５に格納され、最大サイズ領域の主・副走査方向の最終端画素から走査して、主・副走査方向での最初の白画素検出位置を原稿の主・副走査方向後端位置とし、原稿の主・副方向長Ｌ１、Ｌ２が、主・副走査方向の最大ドット数Ｄ１ｍａｘ、Ｄ２ｍａｘ、主・副走査方向の最大長Ｌ１ｍａｘ、Ｌ２ｍａｘとして、Ｌ１＝Ｌ１ｍａｘ（Ｄ１ｍａｘ−ｍ）／Ｄ１ｍａｘ、Ｌ２＝Ｌ２ｍａｘ（Ｄ２ｍａｘ−ｍ）／Ｄ２ｍａｘと自動演算され、原稿周辺部の転写紙の色濃度レベルを原稿地肌と同レベルにして、高品質の画像形成を簡単な構成で、ユーザに従来との操作上の違和感を与えず操作負担を削減して行なうことが可能になる。【選択図】　　　　図１
2004134925.tif 000002
【特許請求の範囲】
【請求項１】
画像読取位置に配置される原稿を読み取る画像読取手段と、
該画像読取手段で読み取られる画像データを記憶する画像記憶手段と、
前記画像読取手段により読み取られる画像データ、或いは前記画像記憶手段から読み出される画像データに基づいて、前記原稿の画像を転写紙上に形成する画像形成手段と、
不定形サイズ原稿の画像形成を通報指令する不定形サイズ画像形成通報指令手段と、
該不定形サイズ画像形成通報指令手段の指令に基づき、前記画像読取手段に対して、前記画像読取位置に配置される原稿を、外部から非遮光状態にある読取最大サイズ領域で読取らせる原稿最大サイズ読取制御手段と、
該原稿最大サイズ読取制御手段の制御により、前記画像読取手段が読み取った原稿の画像データの検出レベルに基づき、前記原稿の主・副走査長をそれぞれ演算する主・副走査長演算手段と、
該主・副走査長演算手段の演算結果に基づき、前記画像形成手段によって前記原稿の画像形成を行なう画像形成制御手段と
を有することを特徴とする画像形成装置。
【請求項２】
読取最大サイズ領域が外部から非遮光状態にあることを検出する非遮光状態検出手段と、
該非遮光状態検出手段により非遮光状態が検出されると、不定形サイズ画像形成通報指令手段の通報指令を認可する指令認可手段と
がさらに設けられていることを特徴とする請求項１記載の画像形成装置。
【請求項３】
主・副走査長演算手段は、原稿最大サイズ読取制御手段の制御で読み取られる不定形サイズ原稿の主走査方向及び副走査方向の最終端位置の画素から検出を開始し、予め設定した画素検出レベルに基づいて、白画素を検出する位置を主・副走査方向それぞれの原稿の後端位置として、前記不定形原稿の主・副走査長をそれぞれ演算することを特徴とする請求項１または請求項２記載の画像形成装置。
【請求項４】
主・副走査長演算手段は、原稿最大サイズ読取制御手段の制御で読み取られる不定形サイズ原稿の主走査方向及び副走査方向の最終端位置の画素から検出を開始し、予め設定した画素検出レベルに基づいて、黒画素以外の画素を検出する位置を、主・副走査方向それぞれの原稿の後端位置として、前記不定形サイズ原稿の主・副走査長をそれぞれ演算することを特徴とする請求項１または請求項２記載の画像形成装置。
【請求項５】
Ｒ、Ｇ、Ｂ画素の各色の画素検出基準レベルを、それぞれ設定する色レベル設定手段がさらに設けられていることを特徴とする請求項３または請求項４記載の画像形成装置。
【請求項６】
主走査方向の任意の複数ラインの主走査方向の読取画素カウンタ値の平均値、及び副走査方向の任意の複数個所の単位ドットの副走査方向の読取画素カウンタ値の平均値を、それぞれ主走査方向の読取画素カウンタ値、及び副走査方向の読取画素カウンタ値として、主・副走査長演算手段に修正演算を行なわせる修正演算制御手段がさらに設けられていることを特徴とする請求項３または請求項４記載の画像形成装置。
【請求項７】
主・副走査長演算手段が演算した主走査長データ及び副走査長データを、不定形サイズ画像形成通報指令手段の通報情報に導入設定する通報情報導入設定手段がさらに設けられていることを特徴とする請求項１ないし請求項６の何れかに記載の画像形成装置。
【発明の詳細な説明】
【０００１】
【発明の属する技術分野】
本発明は、複写機、プリンタ、ファクシミリなどの画像形成装置に関する。
【０００２】
【従来の技術】
複写機、プリンタ、ファクシミリなどの画像形成装置によって画像形成を行なう場合、原稿がＡ４やＢ４などの定形サイズであれば、対応するサイズの転写紙を選択して、直ちに画像形成を行なわせることができるが、原稿が不定形サイズの場合には、ユーザは予め原稿のサイズを物差しで測定し、測定したサイズに一番近く測定サイズよりも大きいサイズの転写紙を選択し、その転写紙に原稿画像の画像形成を行なう必要があった。
【０００３】
これに対し従来技術として、キャリッジをプリスキャン走査させることにより、主走査方向及び副走査方向において、原稿の走査方向の終端位置を自動的に検出して、原稿サイズを取得する方式が提案されている。その具体例として、原稿を押圧する原稿圧板を透明部材で形成し、外光が入射する原稿周辺部と外光を遮断する原稿部分とを光学的に判別することにより、原稿の終端位置を検出するものがある（特許文献１参照）。
また、原稿押圧用の圧板のコンタクトガラスの当接面を原稿に対して判別可能な色に着色し、原稿周辺部と原稿部分とを光学的に判別することにより、原稿の終端位置を検出するものがある（特許文献２）。
【０００４】
しかし、これらの従来技術では、原稿が不定形サイズで、転写紙が原稿よりも大きい場合には、転写紙の周辺が黒色となり、また、原稿の周辺にパンチ穴が存在すると、パンチ穴部分が黒色となるということが問題になる。
【０００５】
この問題を解決するための発明として、原稿のカバーの原稿対向面領域に変色手段を設け、プリスキャン時には原稿対向面領域を原稿地肌色と濃度差が大きな色に変化させ、読取りスキャン時には、原稿対向面領域を原稿の地肌色と濃度差が小さな色に変化させることにより、プリスキャン時に、原稿と原稿に対向しないカバー領域との色濃度差によって、原稿の終端位置を明確に検出でき、読取りスキャン時には、原稿が不定形サイズの場合でも、転写紙の周辺部が黒色とならず、原稿の周辺にパンチ穴がある場合でも、パンチ穴部が黒色とならない画像読取装置が提案されている（特許文献３）。
【０００６】
しかし、この方式によると、カバーの原稿対向面を、例えば印加電圧値で変色する部材で形成する必要があり、別途部材の付加で構成が複雑化し、ユーザの操作も煩雑化すると共に、原稿縁辺部が高色彩濃度であると原稿サイズの検出精度が低下するという問題がある。
【０００７】
【特許文献１】
実開昭６０−１８１７４号公報
【特許文献２】
実開昭６０−１８１７４５号公報
【特許文献３】
特開２００１−６９３１７号公報
【０００８】
【発明が解決しようとする課題】
本発明は、前述したような従来の不定形サイズ原稿の画像形成動作の現状に鑑みてなされたものであり、その目的は、別途部材の付加がない簡単な構成で、不定形サイズ原稿の画像形成時に、ユーザの操作を低減して原稿サイズを自動的に演算し高品質の画像形成が可能な画像形成装置を提供することにある。
【０００９】
【課題を解決するための手段】
前記目的を達成するために、請求項１記載の発明に係わる画像形成装置は、画像読取位置に配置される原稿を読み取る画像読取手段と、該画像読取手段で読み取られる画像データを記憶する画像記憶手段と、前記画像読取手段により読み取られる画像データ、或いは前記画像記憶手段から読み出される画像データに基づいて、前記原稿の画像を転写紙上に形成する画像形成手段と、不定形サイズ原稿の画像形成を通報指令する不定形サイズ画像形成通報指令手段と、該不定形サイズ画像形成通報指令手段の指令に基づき、前記画像読取手段に対して、前記画像読取位置に配置される原稿を、外部から非遮光状態にある読取最大サイズ領域で読取らせる原稿最大サイズ読取制御手段と、該原稿最大サイズ読取制御手段の制御により、前記画像読取手段が読み取った原稿の画像データの検出レベルに基づき、前記原稿の主・副走査長をそれぞれ演算する主・副走査長演算手段と、該主・副走査長演算手段の演算結果に基づき、前記画像形成手段によって前記原稿の画像形成を行なう画像形成制御手段とを有することを特徴とするものである。
【００１０】
このような手段によると、不定形サイズ原稿の画像形成時には、ユーザの操作により画像形成通報指令手段から出力される不定形サイズ原稿の画像形成指令に基づき、原稿最大サイズ読取制御手段の制御で作動する画像読取手段によって、画像読取位置に配置される原稿が、外部から非遮光状態にある読取最大サイズ領域において読み取られ、読み取られる原稿の画像データの検出レベルに基づき、主・副走査長演算手段によって、原稿の主・副走査長がそれぞれ精度よく演算されるので、別途部材の付加のない簡単な構成で、ユーザに従来の画像形成装置との操作上の違和感を与えず、且つ大幅に操作負担を削減した状態で、原稿縁部の色濃度に左右されずに、原稿の主・副走査長が自動的に高精度で演算され、原稿周辺部の転写紙の色濃度レベルが原稿地肌と同一で、原稿周辺部の転写紙への黒色部の形成や、原稿縁辺部のパンチ穴などの光透過部による黒色部の形成を防止して高品質の画像形成が行なわれる。
【００１１】
同様に前記目的を達成するために、請求項２記載の発明に係わる画像形成装置は、請求項１記載の画像形成装置に対して、読取最大サイズ領域が外部から非遮光状態にあることを検出する非遮光状態検出手段と、該非遮光状態検出手段により非遮光状態が検出されると、不定形サイズ画像形成通報指令手段の通報指令を認可する指令認可手段とがさらに設けられていることを特徴とするものである。
【００１２】
このような手段によると、請求項１記載の発明での作用に加えて、非遮光状態検出手段によって、読取最大サイズ領域が外部から非遮光状態にあることが検出されないと、不定形サイズ画像形成通報指令手段の通報指令が認可されないので、ユーザの誤操作を完全に防止して画像形成が行なわれる。
【００１３】
同様に前記目的を達成するために、請求項３記載の発明に係わる画像形成装置は、請求項１または請求項２記載の発明において、主・副走査長演算手段は、原稿最大サイズ読取制御手段の制御で読み取られる不定形サイズ原稿の主走査方向及び副走査方向の最終端位置の画素から検出を開始し、予め設定した画素検出レベルに基づいて、白画素を検出する位置を主・副走査方向それぞれの原稿の後端位置として、前記不定形原稿の主・副走査長をそれぞれ演算することを特徴とするものである。
【００１４】
このような手段によると、主・副走査長演算手段が、原稿最大サイズ読取制御手段の制御で読み取られる不定形サイズ原稿の主走査方向及び副走査方向の最終端位置の画素から検出を開始し、予め設定した画素検出レベルに基づいて、白画素を検出する位置を、主・副走査方向それぞれの原稿の後端位置として、原稿の主・副走査長をそれぞれ演算することにより、請求項１または請求項２記載の発明の作用が実行される。
【００１５】
同様に前記目的を達成するために、請求項４記載の発明に係わる画像形成装置は、請求項１または請求項２記載の発明において、主・副走査長演算手段は、原稿最大サイズ読取制御手段の制御で読み取られる不定形サイズ原稿の主走査方向及び副走査方向の最終端位置の画素から検出を開始し、予め設定した画素検出レベルに基づいて、黒画素以外の画素を検出する位置を、主・副走査方向それぞれの原稿の後端位置として、前記不定形サイズ原稿の主・副走査長をそれぞれ演算することを特徴とするものである。
【００１６】
このような手段によると、主・副走査長演算手段が、原稿最大サイズ読取制御手段の制御で読み取られる不定形サイズ原稿の主走査方向及び副走査方向の最終端位置の画素から検出を開始し、予め設定した画素検出レベルに基づいて、黒画素以外の画素を検出する位置を、主・副走査方向それぞれの原稿の後端位置として、原稿の主・副走査長をそれぞれ演算することにより、請求項１または請求項２記載の発明での作用が実行される。
【００１７】
同様に前記目的を達成するために、請求項５記載の発明に係わる画像形成装置は、請求項３または請求項４記載の画像形成装置に対して、Ｒ、Ｇ、Ｂ画素の各色の画素検出基準レベルを、それぞれ設定する色レベル設定手段がさらに設けられていることを特徴とするものである。
【００１８】
このような手段によると、請求項３または請求項４記載の発明での作用に加えて、色レベル設定手段によって、原稿画像のＲ、Ｇ、Ｂ画素の各色の画素検出基準レベルが、それぞれ予め設定されるので、画像形成雰囲気の色情報のばらつきや、原稿地肌の色情報による原稿縁部での検出精度の低下を防止して、原稿の主・副走査長の演算を適確に行い原稿のより高品質の画像形成が行なわれる。
【００１９】
同様に前記目的を達成するために、請求項６記載の発明に係わる画像形成装置は、請求項３または請求項４記載の画像形成装置に対して、主走査方向の任意の複数ラインの主走査方向の読取画素カウンタ値の平均値、及び副走査方向の任意の複数個所の単位ドットの副走査方向の読取画素カウンタ値の平均値を、それぞれ主走査方向の読取画素カウンタ値、及び副走査方向の読取画素カウンタ値として、主・副走査長演算手段に修正演算を行なわせる修正演算制御手段がさらに設けられていることを特徴とするものである。
【００２０】
このような手段によると、請求項３または請求項４記載の発明での作用に加えて、修正演算制御手段によって、主走査方向の任意の複数ラインの主走査方向の読取画素カウンタ値の平均値、及び副走査方向の任意の複数個所の単位ドットの副走査方向の読取画素カウンタ値の平均値を、それぞれ主走査方向の読取画素カウンタ値、及び副走査方向の読取画素カウンタ値として、主・副走査長演算手段に対して修正演算が行なわれるので、原稿の主走査長及び副走査長がより高精度に演算される。
【００２１】
同様に前記目的を達成するために、請求項７記載の発明に係わる画像形成装置は、請求項１ないし請求項６の何れかに記載の画像形成装置に対して、主・副走査長演算手段が演算した主走査長データ及び副走査長データを、不定形サイズ画像形成通報指令手段の通報情報に導入設定する通報情報導入設定手段がさらに設けられていることを特徴とするものである。
【００２２】
このような手段によると、請求項１ないし請求項６の何れかに記載の発明での作用に加えて、通報情報導入設定手段によって、主・副走査長演算手段が演算した主走査長データ及び副走査長データが、不定形サイズ画像形成通報指令手段の通報情報に導入設定されるので、ユーザの操作負担を低減して、不定形サイズ原稿の画像形成が自動的に行なわれる。
【００２３】
【発明の実施の形態】
以下に、本発明の一実施の形態を、図１ないし図５を参照して説明する。
図１は本実施の形態の全体構成を示すブロック図、図２は本実施の形態の画像読取データのファイルの説明図、図３は本実施の形態の不定形サイズ原稿セット時のパネル操作の説明図、図４は本実施の形態の不定形サイズ原稿の主走査方向長の演算動作を示すフローチャート、図５は本実施の形態の不定形サイズ原稿の副走査方向長の演算動作を示すフローチャートである。
【００２４】
本実施の形態には、図１に示すように、全体の動作を制御するＣＰＵ１が設けられ、このＣＰＵ１にバスＢを介して、制御プログラムが格納されたＲＯＭ２、制御動作時に各種のデータが書き込まれ、また読み出されるＲＡＭ３、ユーザが各種の指令信号を入力する操作部４、画像読取位置に配置される原稿の読取を行なう画像読取部６、規格サイズの転写紙を収容する規格トレイ及び手差しトレイを備え、原稿の画像が形成される転写紙の供給を行なう給紙部７、及び転写紙に原稿の画像形成を行なう画像形成部８が接続され、画像読取部６には、読み取った原稿の画像データに対するＲＧＢ色成分の分解処理を行なうＲＧＢ分解処理部６ａが接続されている。
【００２５】
同様に、ＣＰＵ１にバスＢを介して、画像読取部６が読み取った画像データが格納される画像記憶部５、不定形サイズ原稿のセットを通報指令する不定形サイズ原稿セット通報指令部９、主走査方向の画像の最終位置を検出する主走査方向画像最終位置検出部１４、副走査方向の画像の最終位置を検出する副走査方向画像最終位置検出部１５、及び不定形サイズ原稿の画像形成を制御する不定形サイズ原稿画像形成制御部１０が接続されている。
【００２６】
さらに、ＣＰＵ１にバスＢを介して、画像読取り位置にある原稿に対して、原稿を押圧する圧板が解放され、原稿が外部から非遮光状態にあるか否かを判定する原稿遮光設定判定部１１、Ｒ画素の判定基準レベルを設定する赤基準値設定部１２Ｒ、Ｇ画素の判定基準レベルを設定する緑基準値設定部１２Ｇ、Ｂ画素の判定基準レベルを設定する青基準値設定部１２Ｂを備え、画素の基準値に対するレベル判定を行なう画素判定部１２、主走査方向の画素を計数する主走査方向読取画素カウンタ１３ａ、及び副走査方向の画素を計数する副走査方向読取画素カウンタ１３ｂが接続されている。
そして、本実施の形態では、ＣＰＵ１に、主走査方向の任意の複数ラインの主走査方向の画素カウンタ値の平均値、及び副走査方向の任意の複数個所のドットの副走査方向の画素カウンタ値の平均値を、それぞれ主走査方向の画素カウンタ値、及び副走査方向の画素カウンタ値として、主・副走査長演算手段に修正演算を行なわせる修正演算制御手段が設けられている。
【００２７】
本実施の形態において、画像読取部６で読み取られ、画像記憶部５に格納される画像データは、図２に示すように、副走査方向に読取りラインを第１ラインから、読取最大サイズ領域で読取可能な最大ラインＭＡＸｌｉｎｅに対応させ、主走査方向に第１の単位ドットから読取最大サイズ領域で読取可能な最大単位ドットＭＡＸｄｏｔに対応させて、各単位ドットのＲＧＢの検出データを示すファイルとして格納されている。
【００２８】
このような構成の本実施の形態の動作を説明する。
先ず、不定形サイズ原稿の主走査方向長の演算動作を、図１、図３、図４を参照して説明する。
ユーザが、図３（ａ）に示す走査部４の手差しキーを押下すると、同図（ｂ）に示すように手差しキーが反転して、手差しトレイの選択が確認され、次いでユーザは同図（ｂ）からテンキーの＃キーを押下すると、不定形サイズ原稿セット信号が不定形サイズ原稿セット通報指令部９に入力され、操作部４には同図（ｃ）に示す表示が行なわれる。
図３（ｃ）に示すメッセージに従う操作を行ったユーザが、自動サイズ入力開始キーを押下すると、動作が開始され、ＣＰＵ１の指令によって、図４のフローチャートのステップＳ１で、手差しトレイの選択が確認され、ステップＳ２に進んで、＃キーの押下が確認され、ステップＳ３に進んで、自動サイズ入力開始キーの押下が確認され、ステップＳ４に進んで、原稿読取位置に載置される原稿、或いはＡＤＦ（Ａｕｔｏ　Ｄｏｃｕｍｅｎｔ　Ｆｅｅｄｅｒ）で原稿読取り位置に搬送された原稿に対して、圧板が解放状態にあり、原稿が外部から非遮光状態にあるか否かが、原稿遮光設定判定部１１によって判定される。
【００２９】
ステップＳ４で、原稿が外部から非遮光状態にあると判定されると、ステップＳ５に進んで、ＣＰＵ１の指令によって、不定形サイズ原稿画像形成制御部１０により駆動制御される画像読取部６によって、非遮光状態にある読取最大サイズ領域で、不定形サイズの原稿が読み取られ、ＲＧＢ分解処理部６ａでＲＧＢ信号に分解され、図示せぬ処理回路で、センサの画素ごとの感度ばらつきと証明むらを補正するシェーディング補正が行なわれる。このようにして得られる単位ドットごとのＲＧＢの検出データは、副走査方向に読取りラインを第１ラインから、読取可能な最大ラインＭＡＸｌｉｎｅに対応させ、主走査方向に第１の単位ドットから読取可能な最大単位ドットＭＡＸｄｏｔに対応させたデータファイルとして画像記憶部５に格納される。
次いで、ステップＳ６に進んで、ＣＰＵ１の指令によって、不定形サイズ画像の主走査方向の長さを測定するラインとして、例えば第１ラインが選択されてｎ＝１の設定が行なわれ、ステップＳ７に進んで、ＣＰＵ１の指令で作動する主走査方向画像最終位置検出器１４によって、読取最大サイズ領域での主走査方向の画像の最終端位置ｍが検出される。
【００３０】
この場合、不定形サイズ原稿の主走査方向の後部位置を原稿地肌の白画素で検出する場合には、画素判定基準値としては、赤基準値設定部１２Ｒにより、Ｒ判定基準値「１１０１１１００」が、緑基準値設定部１２Ｇにより、Ｇ判定基準値「１１０１１１００」が、青基準値設定部１２Ｂにより、Ｂ判定基準値「１１０１１１００」がそれぞれ設定され、読取最大サイズ領域での主走査方向の画像の最終端位置Ｍから検出を開始して、最初に単位ドットのＲ、Ｇ、Ｂ成分が、それぞれＲ判定基準値、Ｇ判定基準値、Ｂ判定基準値よりも高レベルにあることが、画素判定部１２の画素判定基準に設定される。
【００３１】
次いで、ステップＳ８に進んで、画像記憶部５から第１ライン（ｎ＝１）の第Ｍ単位ドットが読み出され、　ステップＳ９に進んで、ＣＰＵ１の指令によって　、読み出された単位ドットのＲ成分Ｆｒ、Ｇ成分Ｆｇ、Ｂ成分Ｆｂが、それぞれ次式の条件を満足するか否かが、画素判定部１２で判定される。
【００３２】
Ｆｒ＞１１０１１１００
Ｆｇ＞１１０１１１００　　　　　　　　　　　　　　　　　　（１）
Ｆｂ＞１１０１１１００
【００３３】
ステップＳ９で（１）式の条件が満足しないと判定されると、ステップＳ１１に進んで、ＣＰＵ１の指令によって、Ｍに代えてＭ−１が設定されると共に、主走査方向読取画素カウンタ１３ａを＋１カウントし、ステップＳ８に戻って同一の処理が繰り返される。
そして、ステップＳ９で（１）式の条件が満足すると判定されると、ステップＳ１０に進んで、ＣＰＵ１の指令によって、不定形原稿の主走査方向の長さＬ１が、読取可能な主走査方向の最大ドット数をＤ１ｍａｘ、読取可能な主走査方向の最大長をＬ１ｍａｘとして次式の演算で求められる
【００３４】
Ｌ１＝Ｌ１ｍａｘ・（Ｄ１ｍａｘ−ｍ）／Ｄ１ｍａｘ　　　　　（２）
【００３５】
また、不定形サイズ原稿の主走査方向の後部位置を原稿地肌の黒画素以外の画素で検出する場合には、画素判定基準値としては、赤基準値設定部１２Ｒにより、Ｒ判定基準値「００００１０１０」が、緑基準値設定部１２Ｇにより、Ｇ判定基準値「００００１０１０」が、青基準値設定部１２Ｂにより、Ｂ判定基準値「００００１０１０」がそれぞれ設定され、読取最大サイズ領域での主走査方向の画像の最終端位置Ｍから検出を開始して、最初に単位ドットのＲ、Ｇ、Ｂ成分が、それぞれＲ判定基準値、Ｇ判定基準値、Ｂ判定基準値よりも低レベルにあることが、画素判定部１２の画素判定基準に設定される。
【００３６】
そして、図４のフローチャートのステップＳ８では、画像記憶部５から第１ライン（ｎ＝１）の第Ｍ単位ドットが読み出され、　ステップＳ９に進んで、ＣＰ　Ｕ１の指令によって、読み出　された単位ドットのＲ成分Ｆｒ、Ｇ成分Ｆｇ、Ｂ　成分Ｆｂが、それぞれ次式の条件を満足するか否かが、画素判定部１２で判定される。
【００３７】
Ｆｒ＜００００１０１０
Ｆｇ＜００００１０１０　　　　　　　　　　　　　　　　　　（３）
Ｆｂ＜００００１０１０
【００３８】
さらに、ステップ１０に進んで、不定形サイズ原稿の主走査方向の後部位置を原稿地肌の白画素で検出する場合と同様に、前述の（２）式に基づいて、主走査方向の長さＬ１が演算される。
【００３９】
以上のように、不定形サイズ原稿の主走査方向の後部位置を原稿地肌の白画素或いは黒画素以外の画素で検出する何れの場合でも、例えば、原稿の主走査方向の端部位置の検出時の主走査方向読取画素カウンタ１３ａの計数値を３０００カウント、読取可能な主走査方向の最大長Ｌｍａｘを３８、１ｃｍ、単位ドットの解像度を６００ｄｉｐとすると、Ｌｍａｘ＝３８、１ｃｍまでの単位ドットのカウント数を解像度に基づいて求めると、６００×（３８．１／２．５４）＝９０００となり、（２）式に基づいて、不定形原稿の主走査方向の長さＬ１は次式で演算される。
【００４０】
Ｌ１＝３８１×（９０００−３０００）／３０００＝２５．４ｃｍ　　（４）
【００４１】
次に、不定形サイズ原稿の副走査方向長の演算動作を、図５を参照して説明する。
図５のステップＳ１１ないしステップＳ１５の動作は、すでに説明した図４のステップＳ１ないしステップＳ５の動作と同一なので、重複する説明は行なわない。
図５のフローチャートのステップＳ１６で、ＣＰＵ１の指令によって、不定形サイズ画像の副走査方向の長さを測定するドット単位として、例えば第１番目のドット単位が選択されてＮ＝１の設定が行なわれ、ステップＳ１７に進んで、ＣＰＵ１の指令で作動する副走査方向画像最終位置検出器１５によって、読取最大サイズ領域での副走査方向の画像の最終端位置ｍが検出される。
【００４２】
この場合、不定形サイズ原稿の副走査方向の後部位置を原稿地肌の白画素で検出する場合には、画素判定基準値としては、赤基準値設定部１２Ｒにより、Ｒ判定基準値「１１０１１１００」が、緑基準値設定部１２Ｇにより、Ｇ判定基準値「１１０１１１００」が、青基準値設定部１２Ｂにより、Ｂ判定基準値「１１０１１１００」がそれぞれ設定され、読取最大サイズ領域での副走査方向の画像の最終端位置ｍから検出を開始して、最初に単位ドットのＲ、Ｇ、Ｂ成分が、それぞれＲ判定基準値、Ｇ判定基準値、Ｂ判定基準値よりも高レベルにあることが、画素判定部１２の画素判定基準に設定される。
【００４３】
次いで、ステップＳ１８に進んで、画像記憶部５から第１番目（Ｎ＝１）の単位ドット群のｍラインの単位ドットが読み出され、　ステップＳ１９に進んで、　ＣＰＵ１の指令によって、読み出された単位ドットのＲ成分Ｆｒ、Ｇ成分Ｆｇ、Ｂ成分Ｆｂが、それぞれ（１）式の条件を満足するか否かが、画素判定部１２で判定される。
【００４４】
ステップＳ１９で（１）式の条件が満足しないと判定されると、ステップＳ２１に進んで、ＣＰＵ１の指令によって、ｍに代えてｍ−１が設定されると共に、副走査方向読取画素カウンタ１３ｂを＋１カウントし、ステップＳ１８に戻って同一の処理が繰り返される。
そして、ステップＳ１９で（１）式の条件が満足すると判定されると、ステップＳ２０に進んで、ＣＰＵ１の指令によって、不定形原稿の副走査方向の長さＬ２が、読取可能な副走査方向の最大ドット数をＤ２ｍａｘ、読取可能な副走査方向の最大長をＬ２ｍａｘとして（５）式の演算で求められる
【００４５】
Ｌ２＝Ｌ２ｍａｘ・（Ｄ２ｍａｘ−ｍ）／Ｄ２ｍａｘ　　　　　（５）
【００４６】
また、不定形サイズ原稿の副走査方向の後部位置を原稿地肌の黒画素以外の画素で検出する場合には、画素判定基準値としては、赤基準値設定部１２Ｒにより、Ｒ判定基準値「００００１０１０」が、緑基準値設定部１２Ｇにより、Ｇ判定基準値「００００１０１０」が、青基準値設定部１２Ｂにより、Ｂ判定基準値「００００１０１０」がそれぞれ設定され、読取最大サイズ領域での副走査方向の画像の最終端位置ｍから検出を開始して、最初に単位ドットのＲ、Ｇ、Ｂ成分が、それぞれＲ判定基準値、Ｇ判定基準値、Ｂ判定基準値よりも低レベルにあることが、画素判定部１２の画素判定基準に設定される。
【００４７】
そして、図５のフローチャートのステップＳ１８では、画像記憶部５から第１番目（Ｎ＝１）の単位ドット群のｍラインの単位ドットが読み出され、　ステッ　プＳ１９に進んで、ＣＰＵ１の指令によって、読み出された単位ドットのＲ成分Ｆｒ、Ｇ成分Ｆｇ、Ｂ成分Ｆｂが、それぞれ（３）式の条件を満足するか否かが画素判定部１２で判定される。
【００４８】
そして、ステップＳ１９の判定がＹｅｓとなると、ステップ２０に進んで、不定形サイズ原稿の副走査方向の後部位置を原稿地肌の白画素で検出する場合と同様に、前述の（２）式に基づいて、副走査方向の長さＬ２が演算される。
【００４９】
以上のように、不定形サイズ原稿の副走査方向の後部位置を原稿地肌の白画素或いは黒画素以外の画素で検出する何れの場合でも、例えば、原稿の副走査方向の端部位置の検出時の副走査方向読取画素カウンタ１３ｂの計数値を４０００カウント、読取可能な副走査方向の最大長Ｌ２ｍａｘを５０、８ｃｍ、単位ドットの解像度を６００ｄｉｐとすると、Ｌ２ｍａｘ＝５０、８ｃｍまでの単位ドットのカウント数を解像度に基づいて求めると、６００・（５０．８／２．５４）＝１２０００となり、（５）式に基づいて、不定形原稿の副走査方向の長さＬ２は次式で演算される。
【００５０】
Ｌ２＝５０８×（１２０００−４０００）／１２０００＝３３．８６ｃｍ　　　　　　（６）
【００５１】
本実施の形態によると、このようにして不定形サイズ原稿のサイズが、主走査方向で２５．４ｃｍ、副走査方向で３３．８６ｃｍであることが、自動的に演算される。
【００５２】
さらに、本実施の形態では、ユーザの操作部４からの選択指令により、ＣＰＵ１の修正演算制御手段の制御によって、不定形サイズ原稿の修正演算が行なわれる。
この場合には、主走査方向については、すでに説明した演算過程で使用した１ライン目の主走査方向読取画素カウンタ１３ａの計数値３０００に加えて、中央位置の４０００ライン目の主走査方向読取画素カウンタ１３ａの計数値３００５と、後端位置の８０００ライン目の主走査方向読取画素カウンタ１３ａの計数値２９９０が勘案され、ＣＰＵ１の修正演算制御手段によって、主走査方向読取画素カウンタ１３ａが、（３０００＋３００５＋２９９０）／３＝２９９８．３と修正演算される。
【００５３】
また、副走査方向については、すでに説明した演算過程で使用した第１番目（Ｎ＝１）の単位ドット群の副走査方向読取画素カウンタ１３ｂの計数値４０００に加えて、中央位置の３０００ｄｏｔ番目の副走査方向読取画素カウンタ１３ｂの計数値４００４と、後端位置の６０００ｄｏｔ番目の副走査方向読取画素カウンタ１３ｂの計数値３９９０が勘案され、ＣＰＵ１の修正演算制御手段によって、副走査方向読取画素カウンタ１３ｂが、（４０００＋４００４＋３９９０）／３＝２９９８と修正演算される。
【００５４】
そして、ＣＰＵ１の指令によって、（２）式において、ｍ＝２９９８．３として不定形サイズ原稿の主走査方向長Ｌ１が修正演算され、（５）式において、ｍ＝３９９８として、不定形サイズ原稿の副走査方向長Ｌ２が修正演算される。
【００５５】
また、本実施の形態では、以上に説明した不定形サイズ原稿のサイズの演算に際して、原稿端部を原稿地肌の白画素で検出する場合、及び原稿端部を原稿地肌の黒画素以外の画素で検出する場合の画素判定基準値を、赤基準値設定部１２Ｒ、緑基準値設定部１２Ｇ、青基準値設定部１２Ｂにより、それぞれ独立に設定することにより、画像形成雰囲気の色情報のばらつきや、原稿地肌の色情報による検出精度の低下を防止し、不定形サイズ原稿の縁辺部の色濃度が高い場合でも、原稿の主・副走査方向長が高精度に検出される。
【００５６】
このようにして、原稿の主・副走査方向長の演算が終了すると、ＣＰＵ１の指令によって、不定形サイズ原稿画像形成制御部１０の制御によって、走査部４のディスプレイに画像形成を行なおうとする原稿の主・副走査方向長データと、原稿を遮光状態にする圧板閉鎖の指示通報とが表示され、ユーザは原稿の主・副走査方向を確認し、圧板閉鎖を行なって原稿を遮光状態にする。
そして、ＣＰＵ１の指令によって、画像読取部６によって、遮光状態にセットされた原稿画像が読み取られ、シェーディング補正された読取り画像データに基づき、画像形成部８によって、遮光状態にセットされた不定形サイズ原稿より大きく、該原稿にサイズが一番近い定型転写紙に、原稿の周辺部を原稿地肌と色濃度レベルを同一に維持した状態で、高品質の画像形成が行なわれる。
【００５７】
以上に説明したように、本実施の形態によると、原稿遮光設定判定部１１によって、画像読取位置に配置された不定形サイズの原稿が、外部から非遮光状態にあると判定された状態で、画像読取部６によって、非遮光状態にある読取最大サイズ領域で画像データが読取られ画像記憶部５に格納され、次いで、最大サイズ領域の主・副走査方向の最終端画素から走査を開始して、主・副走査方向で、予め設定した画素検出基準レベルに基づき、最初に白画素或いは黒画素以外の画素を検出した画素位置を、それぞれ原稿の主走査方向の後端位置とし、（２）式によって原稿の主走査方向長Ｌ１を、（５）式によって原稿の副走査方向長Ｌ２を、原稿縁部の色濃度に左右されずにそれぞれ自動的に高精度で演算することが可能になる。
そして、原稿より大きく一番原稿サイズに近い定型サイズの転写紙に、原稿周辺部を原稿地肌と同一明度に維持し、原稿周辺部への黒色部の形成と、原稿周辺のパンチ穴などの光透過部による黒色部の形成を防止して高品質の画像形成を行なうことが可能になる。
さらに、本実施の形態によると、原稿のサイズ演算時のＲＧＢのそれぞれの画素判定基準値を、画像形成雰囲気の色情報のばらつきや、原稿地肌の色情報による検出精度の低下に対応して、それぞれ独立に設定することにより、画像形成雰囲気の色情報のばらつきや、原稿地肌の色情報による検出精度の低下を防止し、原稿の縁部の色濃度に左右されずに、原稿の主・副走査方向の端部をより高精度に検出して高品質の画像形成を行なうことが可能になる。
【００５８】
【発明の効果】
請求項１記載の発明によると、画像読取位置に配置される原稿が画像読取手段によって読み取られ、読み取られる画像データは、画像記憶手段に記憶され、画像形成手段によって、画像読取手段により読み取られる画像データ、或いは画像記憶手段から読み出される画像データに基づいて、転写紙上に原稿の画像形成が行なわれるが、不定形サイズ原稿の画像形成時には、ユーザの操作により画像形成通報指令手段から出力される不定形サイズ原稿の画像形成指令に基づき、原稿最大サイズ読取制御手段の制御で作動する画像読取手段によって、画像読取位置に配置される原稿が、外部から非遮光状態にある読取最大サイズ領域において読み取られ、読み取られる原稿の画像データの検出レベルに基づき、主・副走査長演算手段によって、原稿の主・副走査長がそれぞれ精度よく演算される。
このために、別途部材の付加のない簡単な構成で、ユーザに従来の画像形成装置との操作上の違和感を与えず、且つ大幅に操作負担を削減した状態で、原稿縁部の色濃度に左右されずに、原稿の主・副走査長が自動的に高精度で演算され、原稿周辺部の転写紙の色濃度レベルが原稿地肌と同一で、原稿周辺部の転写紙への黒色部の形成や、原稿縁辺部のパンチ穴などの光透過部による黒色部の形成を防止して高品質の画像形成を行なうことが可能になる。
【００５９】
請求項２記載の発明によると、請求項１記載の発明で得られる効果に加えて、非遮光状態検出手段によって、読取最大サイズ領域が外部から非遮光状態にあることが検出されないと、不定形サイズ画像形成通報指令手段の通報指令が認可されないので、ユーザの誤操作を完全に防止して画像形成を行なうことが可能になる。
【００６０】
請求項３記載の発明によると、主・副走査長演算手段が、原稿最大サイズ読取制御手段の制御で読み取られる不定形サイズ原稿の主走査方向及び副走査方向の最終端位置の画素から検出を開始し、予め設定した画素検出レベルに基づいて、白画素を検出する位置を、主・副走査方向それぞれの原稿の後端位置として、原稿の主・副走査長をそれぞれ演算することにより、請求項１または請求項２記載の発明で得られる効果を実現することが可能になる。
【００６１】
請求項４記載の発明によると、主・副走査長演算手段が、原稿最大サイズ読取制御手段の制御で読み取られる不定形サイズ原稿の主走査方向及び副走査方向の最終端位置の画素から検出を開始し、予め設定した画素検出レベルに基づいて、黒画素以外の画素を検出する位置を、主・副走査方向それぞれの原稿の後端位置として、原稿の主・副走査長をそれぞれ演算することにより、請求項１または請求項２記載の発明で得られる効果を実現することが可能になる。
【００６２】
請求項５記載の発明によると、請求項３または請求項４記載の発明で得られる効果に加えて、色レベル設定手段によって、原稿画像のＲ、Ｇ、Ｂ画素の各色の画素検出基準レベルが、それぞれ予め設定されるので、画像形成雰囲気の色情報のばらつきや、原稿地肌の色情報による原稿縁部での検出精度の低下を防止して、原稿の主・副走査長の演算を適確に行い原稿のより高品質の画像形成を行なうことが可能になる。
【００６３】
請求項６記載の発明によると、請求項３または請求項４記載の発明で得られる効果に加えて、修正演算制御手段によって、主走査方向の任意の複数ラインの主走査方向の読取画素カウンタ値の平均値、及び副走査方向の任意の複数個所の単位ドットの副走査方向の読取画素カウンタ値の平均値を、それぞれ主走査方向の読取画素カウンタ値、及び副走査方向の読取画素カウンタ値として、主・副走査長演算手段に対して修正演算が行なわれるので、原稿の主走査長及び副走査長をより高精度に演算することが可能になる。
【００６４】
請求項７記載の発明によると、請求項１ないし請求項６の何れかに記載の発明で得られる効果に加えて、通報情報導入設定手段によって、主・副走査長演算手段が演算した主走査長データ及び副走査長データが、不定形サイズ画像形成通報指令手段の通報情報に導入設定されるので、ユーザの操作負担を低減して、不定形サイズ原稿の画像形成を自動的に行なうことが可能になる。
【図面の簡単な説明】
【図１】本発明の一実施の形態の全体構成を示すブロック図である。
【図２】同実施の形態の画像読取データのファイルの説明図である。
【図３】同実施の形態の不定形サイズ原稿セット時のパネル操作の説明図である。
【図４】同実施の形態の不定形サイズ原稿の主走査方向長の演算動作を示すフローチャートである。
【図５】同実施の形態の不定形サイズ原稿の副走査方向長の演算動作を示すフローチャートである。
【符号の説明】
１　ＣＰＵ
４　操作部
５　画像記憶部
６　画像読取部
６ａ　ＲＧＢ分解処理部
８　画像形成部
９　不定形サイズ原稿セット通報指令部
１０　不定形サイズ原稿画像形成制御部
１１　原稿遮光設定判定部
１２　画素判定部
１２Ｒ　赤基準値設定部
１２Ｇ　緑基準値設定部
１２Ｂ　青基準値設定部
１３ａ　主走査方向読取画素カウンタ
１３ｂ　副走査方向読取画素カウンタ
１４　主走査方向画像最終位置検出部
１５　副走査方向画像最終位置検出部
【図１】
2004134925.tif 000003
【図２】
2004134925.tif 000004
【図３】
2004134925.tif 000005
【図４】
2004134925.tif 000006
【図５】
2004134925.tif 000007